【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
複数のウェブアプリケーションサーバと、情報処理サーバとを含む情報処理システムであって、
第一のウェブアプリケーションサーバは、
ウェブクライアントからアプリケーション画面情報の要求を受け付けた場合、該要求に、前記情報処理サーバへのログイン状況を示す識別子が含まれているかを判定する判定手段と、
前記判定手段により前記識別子が含まれると判定された場合、該識別子の有効性を前記情報処理サーバに問い合わせる問い合わせ手段と、
前記問い合わせ手段による問い合わせの結果、前記識別子が有効である場合、前記識別子を埋め込んだウェブアプリケーション画面情報を、前記ウェブクライアントへ送信する第１の画面情報送信手段と、
前記ウェブクライアントから第二のウェブアプリケーションサーバへ画面を遷移する要求を受け付けた場合、該第二のウェブアプリケーションサーバのロケーション情報に、該要求に含まれる前記識別子を、パラメータとして付加して、前記ウェブクライアントに通知する第１の通知手段とを有し、
前記情報処理サーバは、
前記ウェブクライアントからログイン要求を受け付けた場合、ログイン処理を行うログイン処理手段と、
前記ログイン処理手段によりログイン処理が成功した場合、前記識別子を生成して保持手段に保持させる識別子生成手段と、
前記識別子生成手段により生成された前記識別子を、前記ウェブクライアントに通知する第２の通知手段と、
前記問い合わせ手段により問い合わされた前記識別子が有効であるか否かを、該識別子が前記保持手段に保持されているか否かで判定し、該判定結果を返信する識別子有効性判定手段とを有することを特徴とする情報処理システム。
【請求項２】
前記第一のウェブアプリケーションサーバは、
前記判定手段により前記識別子が含まれないと判定された場合、前記情報処理サーバのロケーション情報を、前記ウェブクライアントに通知する第３の通知手段を有し、
前記情報処理サーバが有する前記第２の通知手段は、
前記ウェブクライアントから、前記第一のウェブアプリケーションサーバに対して前記アプリケーション画面情報を要求させるため、前記第一のウェブアプリケーションサーバのロケーション情報に、前記識別子生成手段により生成された前記識別子を、パラメータとして付加して、前記ウェブクライアントに通知することを特徴とする請求項１に記載の情報処理システム。
【請求項３】
前記ウェブアプリケーションサーバは、前記問い合わせ手段による問い合わせの結果、前記識別子が有効である場合、セッションの状態をログイン済みとし、また、前記第２の通知手段による通知処理後に前記セッションを開放するセッション管理手段を有し、
前記セッション管理手段は、前記ウェブクライアントからアプリケーション画面情報の要求を受け付けた場合、該要求に対応するセッションの状態がログイン済みでない場合、前記判定手段に判定処理を実行させ、一方、ログイン済みである場合、前記第１の画面情報送信手段に画面送信処理を実行させる、ことを特徴とする請求項１または２に記載の情報処理システム。
【請求項４】
前記ウェブアプリケーションサーバと前記情報処理サーバは、前記各ロケーション情報を含む同一のファイルをそれぞれ保持することを特徴とする請求項１乃至３のいずれか１項に記載の情報処理システム。
【請求項５】
前記各画面情報は、構造化言語で記述されることを特徴とする請求項１乃至４のいずれか１項に記載の情報処理システム。
【請求項６】
複数のウェブアプリケーションサーバと、情報処理サーバとを含む情報処理システムにおける情報処理方法であって、
第一のウェブアプリケーションサーバは、
ウェブクライアントからアプリケーション画面情報の要求を受け付けた場合、該要求に、前記情報処理サーバへのログイン状況を示す識別子が含まれているかを判定する判定ステップと、
前記判定ステップにより前記識別子が含まれると判定された場合、該識別子の有効性を前記情報処理サーバに問い合わせる問い合わせステップと、
前記問い合わせステップによる問い合わせの結果、前記識別子が有効である場合、前記識別子を埋め込んだウェブアプリケーション画面情報を、前記ウェブクライアントへ送信する第１の画面情報送信ステップと、
前記ウェブクライアントから第二のウェブアプリケーションサーバへ画面を遷移する要求を受け付けた場合、該第二のウェブアプリケーションサーバのロケーション情報に、該要求に含まれる前記識別子を、パラメータとして付加して、前記ウェブクライアントに通知する第１の通知ステップとを含み、
前記情報処理サーバは、
前記ウェブクライアントからログイン要求を受け付けた場合、ログイン処理を行うログイン処理ステップと、
前記ログイン処理ステップによりログイン処理が成功した場合、前記識別子を生成して保持手段に保持させる識別子生成ステップと、
前記識別子生成ステップにより生成された前記識別子を、前記ウェブクライアントに通知する第２の通知ステップと、
前記問い合わせステップにより問い合わされた前記識別子が有効であるか否かを、該識別子が前記保持手段に保持されているか否かで判定し、該判定結果を返信する識別子有効性判定ステップとを含むことを特徴とする情報処理方法。
【請求項７】
複数のウェブアプリケーションサーバと、情報処理サーバとを含む情報処理システムにおいて実行可能なプログラムであって、
第一のウェブアプリケーションサーバを、
ウェブクライアントからアプリケーション画面情報の要求を受け付けた場合、該要求に、前記情報処理サーバへのログイン状況を示す識別子が含まれているかを判定する判定手段、
前記判定手段により前記識別子が含まれると判定された場合、該識別子の有効性を前記情報処理サーバに問い合わせる問い合わせ手段、
前記問い合わせ手段による問い合わせの結果、前記識別子が有効である場合、前記識別子を埋め込んだウェブアプリケーション画面情報を、前記ウェブクライアントへ送信する第１の画面情報送信手段、
前記ウェブクライアントから第二のウェブアプリケーションサーバへ画面を遷移する要求を受け付けた場合、該第二のウェブアプリケーションサーバのロケーション情報に、該要求に含まれる前記識別子を、パラメータとして付加して、前記ウェブクライアントに通知する第１の通知手段として機能させ、
前記情報処理サーバを、
前記ウェブクライアントからログイン要求を受け付けた場合、ログイン処理を行うログイン処理手段、
前記ログイン処理手段によりログイン処理が成功した場合、前記識別子を生成して保持手段に保持させる識別子生成手段、
前記識別子生成手段により生成された前記識別子を、前記ウェブクライアントに通知する第２の通知手段、
前記問い合わせ手段により問い合わされた前記識別子が有効であるか否かを、該識別子が前記保持手段に保持されているか否かで判定し、該判定結果を返信する識別子有効性判定手段として機能させることを特徴とするプログラム。
【請求項８】
請求項７に記載のプログラムをコンピュータ読み取り可能に記憶した記録媒体。
【手続補正２】
【補正対象書類名】明細書
【補正対象項目名】００１１
【補正方法】変更
【補正の内容】
【００１１】
本発明は、複数のウェブアプリケーションサーバと、情報処理サーバとを含む情報処理システムであって、第一のウェブアプリケーションサーバは、ウェブクライアントからアプリケーション画面情報の要求を受け付けた場合、該要求に、前記情報処理サーバへのログイン状況を示す識別子が含まれているかを判定する判定手段と、前記判定手段により前記識別子が含まれると判定された場合、該識別子の有効性を前記情報処理サーバに問い合わせる問い合わせ手段と、前記問い合わせ手段による問い合わせの結果、前記識別子が有効である場合、前記識別子を埋め込んだウェブアプリケーション画面情報を、前記ウェブクライアントへ送信する第１の画面情報送信手段と、前記ウェブクライアントから第二のウェブアプリケーションサーバへ画面を遷移する要求を受け付けた場合、該第二のウェブアプリケーションサーバのロケーション情報に、該要求に含まれる前記識別子を、パラメータとして付加して、前記ウェブクライアントに通知する第１の通知手段とを有し、前記情報処理サーバは、前記ウェブクライアントからログイン要求を受け付けた場合、ログイン処理を行うログイン処理手段と、前記ログイン処理手段によりログイン処理が成功した場合、前記識別子を生成して保持手段に保持させる識別子生成手段と、前記識別子生成手段により生成された前記識別子を、前記ウェブクライアントに通知する第２の通知手段と、前記問い合わせ手段により問い合わされた前記識別子が有効であるか否かを、該識別子が前記保持手段に保持されているか否かで判定し、該判定結果を返信する識別子有効性判定手段とを有することを特徴とする。
【手続補正３】
【補正対象書類名】明細書
【補正対象項目名】００１３
【補正方法】削除
【補正の内容】